(57)【要約】【課題】小動物の保護を図るのに適した車載用の小動物収容容器を提供することを課題とする。【解決手段】小動物収容容器の上面周辺につばを設けて小動物に前脚を乗せられるようにしてストレスが鬱積されるのを防止し、つばの部分に緩衝部材および小動物収容容器に背もたれを設けて小動物を急停止・追突等の衝撃から保護するようにし、遮光用の覆いを設けて小動物の眼を紫外線から守ることができるようにした。また、自動車の座席に簡便に取り付け・取り外しできるようにし、かつ強固に取付固定ができるようにした。さらに、小動物を収容する部分は架台部分と分離できるようにして清掃・洗濯が簡易に行なえるようにし、架台部分には種々の畳み機構を採用して未使用時には嵩張らず保管が容易にできるようにした。また、充分な給餌・給水・換気・脱臭を行うことができる構造とした。【選択図】    図１
2005176750.tif 000002
【特許請求の範囲】
【請求項１】
容器と該容器を支える架台とからなる収容容器において、容器をつばを有する帽子状の容器とし、架台は該帽子状の容器のつばを支える機構を有し、該架台が該つばを支える機構を含めて左右方向に畳める機構またはおよび前後方向に畳める機構を有すること、を特徴とする収容容器。
【請求項２】
容器と該容器を支える架台とからなる収容容器において、容器をつばを有する帽子状の容器とし、架台は該帽子状の容器のつばを支える機構を有し、該架台を構成する部品が該つばを支える機構を含めて一方向に向いて棒状態に畳める機構を有すること、を特徴とする収容容器。
【請求項３】
容器と該容器を支える架台とからなる収容容器において、容器をつばを有する帽子状の容器とし、架台は上部につばを有する無蓋箱であって、該つばは畳まれて該無蓋箱に格納できる機構を有すること、を特徴とする収容容器。
【請求項４】
容器と該容器を支える架台とからなる収容容器において、容器をつばを有する帽子状の容器とし、架台は上部につばを有する無蓋箱であって後部に背もたれを有し、該つばおよび該背もたれは畳んで該無蓋箱に格納できかつ該無蓋箱は上下に伸縮できる機構を有すること、を特徴とする収容容器。
【請求項５】
無蓋箱と該無蓋箱の蓋からなる収容容器において、該無蓋箱は上部につばを有し、該つばの外周が形成する形状と該蓋の形状がほぼ同じ形状かつほぼ同じ大きさであって該蓋が背もたれを構成すること、を特徴とする収容容器。
【請求項６】
請求項５記載の発明において、背もたれを構成する蓋が開閉時に無蓋箱の後側面を滑動する機構を有すること、を特徴とする収容容器。
【請求項７】
請求項１ないし請求項５記載の発明において、遮光用覆いまたはおよび遮光スクリーンを設けたこと、を特徴とする収容容器。
【請求項８】
使用時にはくさびを構成して固定具となる固定具であって、くさびを構成する部材は未使用時には平行状態にあるが、使用時には非平行状態となってくさびを構成する機構を有することを特徴とする固定具、を設けた請求項１ないし請求項５記載の発明。
【請求項９】
把持機構を繰出して物を把持する固定具であって、把持機構は軸・該軸まわりに回転する部材および該回転する部材を該軸周りに復元するように固定されたばねを主要構成部材とし、繰出機構は多数の凸歯を有する部材と凸歯に噛み合う爪を主要構成部材としたことを特徴とする固定具、を設けた請求項１ないし請求項５記載の発明。
【請求項１０】
請求項１ないし請求項５記載の発明において、つばを有する帽子状の容器のつば上面に、またはおよび該つばの内周縁に緩衝部材を設けた容器を用いたこと、を特徴とする収容容器
【請求項１１】
請求項１ないし請求項３記載の発明において使用されるつばを有する帽子状の容器において、該容器の縁に背もたれを設けたこと、を特徴とする収容容器
【発明の詳細な説明】
【技術分野】
【０００１】
小動物、愛玩動物を車載して移動する際に使用する、小動物用収容容器に関する。
【背景技術】
【０００２】
近年、愛玩用に小動物を飼っている人が多くなり、小動物を自動車に乗せて移動しければならない機会が多くなった。
【０００３】
しかし、小動物・愛玩動物（以下、「小動物」と総称する。）を自動車に乗せて移動する際には、小動物であるがために存在する特有の問題が多々ある。
すなわち、小動物は環境に敏感なことからストレスが鬱積しないようにする必要があり、夏期には紫外線から眼を保護する必要がある。
また、小動物の飛び出しを防止し、急発進・急停車・追突・急ハンドル等の急激な加減速に対して小動物を保護する必要があり、さらに、充分な給餌・給水・換気を行う必要がある。
そのうえ、排泄物の処理・小動物特有の臭いの除去をしなければならない等の厄介な問題が存在する。
また、自動車の運転者にとっても、小動物の挙動が気になり、つい気を取られてわき見運転になりがちにもなり、交通事故の遠因にもなりかねない。
【０００４】
しかしながら、小動物を収容するのに簡易・適切な収容容器が市販されていないことから、通常は小動物を車内にそのまま乗せるか、あるいは手近にある段ボール箱等を利用してその箱に入れて済ませている場合が多い。
【０００５】
【非特許文献１】存在しないと思われます。
【特許文献１】特許電子図書館の公報テキスト検索（公開特許公報）で、以下の条件で検索したが、該当すると思料できるものはありません。                                        「要約と請求の範囲」  「容器」                                      ＡＮＤ  「要約と請求の範囲」  「動物  愛玩  犬  猫」                        ＡＮＤ  「要約と請求の範囲」  「畳む  たたむ  背  もたれ  つば                                              バックシート  縁  へり  運搬  携行」                  発見された件数は、１５９件
【特許文献２】特許電子図書館の公報テキスト検索（公開特許公報）で、以下の条件で検索したが、該当すると思料できるものはありません。                                        「要約と請求の範囲」  「運搬  携行  容器  つば  縁  へり」          ＡＮＤ  「要約と請求の範囲」  「動物  愛玩  犬  猫  畳む  たたむ」          ＡＮＤ  「ＩＰＣ」            「B65D85/?」                                            発見された件数は、７９件
【発明の開示】
【発明が解決しようとする課題】
【０００６】
本願発明は、上記のような事情のもとで考え出されたもので、小動物の歩き回りを自由にするとともにストレスの鬱積を防止でき、また、小動物の飛び出しを防止し、急停車・追突等の突発的・急激な加減速に対して小動物の保護ができ、紫外線から小動物の眼を保護することが可能であり、さらに、排泄物の処理・小動物特有の臭いの除去等が簡便に行うことができるとともに、未使用時の保管が容易にでき、さらには、充分な給餌・給水・換気・脱臭を行うことができる小動物収容容器を提供することを課題とする。
【課題を解決するための手段】
【０００７】
小動物収容容器の上面周辺につばを設け、さらに該つばを支える機構を架台に設けてつば部分の剛性を高めて、小動物はつばに前脚を乗せて立ち上がって周回できるようにかつ周囲を見渡すことができるようにした。
【０００８】
小動物収容容器に背もたれを設け、また、つばの部分に着脱可能の緩衝部材を設け、さらに、本願発明にかかる特有の固定具を設けて自動車の座席に簡便かつ強固に取付固定ができるようにした。
有蓋バスケット構造の収容容器で蓋が背もたれを構成するものにおいては、開閉時に蓋が無蓋箱の後側面を滑動するような機構を設けて、蓋と容器の使用時の一体化を図りつつ、背もたれとしての蓋の高さが必要以上に高くなるのを防止した。
【０００９】
また、簡易に取付・開閉できる遮光用覆い、遮光スクリーンを設けた。
【００１０】
そのうえ、小動物を収容する部分は、該部分を支える架台部分と容易に分離できる構造とした。
【００１１】
また、本願発明にかかる特有の固定具により、架台は簡単に座席に取り付け・座席から取り外しが可能となり、架台部分には折り畳みが容易に行なえる種々の機構のものを採用した。
【００１２】
さらには、充分な給餌・給水・換気・脱臭を行うことができる構造とした。
【発明の効果】
【００１３】
小動物収容容器の上面周辺に設けたつばに、小動物は前脚を乗せて立ち上がって周回できかつ周囲を見渡せることができるようになったことから、小動物はストレスの鬱積から解放される。
【００１４】
小動物収容容器に背もたれを設け、さらに、つばの部分に緩衝部材を設けたことから、自動車の走行中の急停止・追突等の突発的・急激な加減速による衝撃が緩和され、衝撃に弱い小動物の保護を図ることができる。
有蓋バスケット構造の収容容器で蓋が背もたれを構成するものにおいては、開閉時に蓋が無蓋箱の後側面を滑動するような機構を設けて、蓋と容器の使用時の一体化を図りつつ、背もたれとしての蓋の高さが必要以上に高くなるのを防止したことから、視界が妨げられるのを防止することができる。
また、本願発明にかかる特有の固定具を小動物収容容器に設けて、自動車の座席に簡便かつ強固に取付固定ができるようにしたことから、自動車の走行中の急発進・急停止・追突等の衝撃からの被害の増加を防ぐことができ、衝撃に弱い小動物の保護を十全に図ることができる。
【００１５】
また、遮光用覆い・遮光スクリーンを設けたことにより、小動物の眼を紫外線による白内障等の眼の疾患を予防し、また盲目となることを防止することができる。
【００１６】
そのうえ、小動物を収容する部分は、該部分を支える架台部分と分離できるようにしたことから、清掃・洗濯が簡易に行なえるようになり、汚れ・餌の残り物の処理・排泄物の処理・小動物特有の臭いの除去等が容易に行なえるようになる。
【００１７】
また、本願発明にかかる特有の固定具により、架台は座席から簡単に取り外しが可能となり、さらに、架台部分には折り畳みが容易に行なえる種々の機構のものを採用したことから、小動物収容容器は未使用時には嵩張らずに格納でき、保管が容易になる。
【００１８】
さらには、充分な給餌・給水・換気・脱臭を行うことができる構造としたことから、小動物の保護に万全を期すことができ、特に有蓋バスケット構造にしたものは、小動物を収容したまま手で運搬でき、車載時以外にも使用できるものであるから利用頻度の高いものとなる。
【００１９】
また、本願発明の小動物収納容器を使用することにより、自動車の内装が傷付けられたり、汚されたりすることに気を使う必要も無くなる。
【００２０】
従って、自動車の運転者にとって、突発の急な加減速に対して従来のように気を取られることも無く、また自動車の内装の損傷や汚れに気を使うことも無くなって、小動物の挙動を逐一気にする必要も無くなり、安心して運転に集中でき、交通事故の防止に役立つことになる。
【発明を実施するための最良の形態】
【００２１】
以下、請求項の順に沿って説明する。
なお、以下の実施例において、つばを有する帽子状の容器（以下、「つば付き容器」と適宜略称する。）、架台、固定具、背もたれ覆い、前部覆い等の組合せは代表的な実施の例を例示するものであって、これらの組合せは例示例に限定されるものではなく、適宜自在に組み合わすことができるものである。
【実施例１】
【００２２】
図１ないし図３は実施例１について示した斜視図であり、図１は全体を示す斜視図である。
図２は、つば付き容器１１の斜視図であり、つば１２、無蓋箱１３、背もたれ兼用覆い１４および巻き込んだ状態の前部覆い１５と前部覆いを格納する格納カバー１９を示す。
【００２３】
つば付き容器１１は、図２に示すように、容器上部に設けられたつば１２と無蓋箱１３から成っており、素材は主として、布・不織布等の軟質な材料が用いられ、特に、小動物の爪による擦過傷に強い素材が望ましい。
つばは全周辺に設けてよく、また周辺の一部を省略してもよい。
無蓋箱の大きさ、特に深さ、は小動物自身の大きさと小動物の居住性を考慮して決められる。
また、無蓋箱には、脱臭剤入れ２０１が設けられており、箱下部には架台１６（図３）に固定する金具１８が設けられており、箱内部には小動物を繋止する金具（図示省略）が設けられている。
無蓋箱の胴部分は、螺旋ばねを裏打ちして、上下方向に伸縮し易くしてもよく、また、木・竹・籐等の自然材や合成樹脂製・金属製の細線・細パイプ材を骨材とし用いて保形性をよくすることもできる。
なお、箱下部は、小動物の歩き回りに支障がない程度の硬質板材でできており、スポンジ等のクッション材が適宜敷かれている。
【００２４】
本実施例の背もたれ兼用覆い１４は、図２に示すように、自動車のヘッドレストを避けて背面シート上部を覆う構造を採用している。
前部覆い１５の構造は背もたれ兼用覆いと同様でよく、使用時には展張するようになっており、未使用時には巻き込まれて格納カバー１９に格納される。
背もたれ兼用覆いおよび前部覆いは、ファスナー２０７で、つば付き容器と着脱できるようになっている。
なお、ファスナーには通称マジックテープ（登録商標）と言われる鉤止部材付ファスナーを用いてもよい。
なお、背もたれは、通常は一面に設け、自動車の進行方向に対して有効なように設けられるが、その逆方向でもよく（図３２）、また、複数面に設けることもできる（図示省略）。
また、緩衝部材１５１（図３１）を着脱可能にするために、つばの上面に鉤止部材付ファスナー２０８を用いると好都合である。
【００２５】
図３はつば付き容器１１を支える架台１６の斜視図であり、上部には、つば付き容器１１のつば１２を支えるつば１７が設けられている。
架台の骨組みには左右方向にはＸ状にクロスしたフレームを採用して、左右に容易に折り畳むことができるようになっている。
また、下部には、巻き込み式固定具１４０（後述する。）およびくさび式固定具１２０（後述する。）が設けられていて、架台は簡便に自動車の座席に取り付けられるようになっている。
さらに、架台の前後方向の傾きを調整するための傾き調整機構１８０も設けられている。
傾き調整機構の一例をあげると、図１８に示すような、凹型をしたフレームを上下に滑動し固定する方式のものがあり、簡便に使用できる。
【００２６】
本実施例の遮光用覆い１７９および遮光スクリーン１７８の実施状況を図１に示す。
遮光用覆いは、つば付き容器１１または背もたれ兼用覆い１４に設けられた覆い固定具２１１に容易に着脱できるようになっており、使用時は、図２２に示すように、展張できるようになっている。
遮光スクリーンは、車窓用に考えられたもので、ファスナー２０７で、つば付き容器１１に簡単に着脱でき、窓ガラスには吸盤１７７で取り付けられるようになっている。
なお、鉤止部材付ファスナーで車内壁に取り付けられるようにしてもよい（図示省略）。
遮光用覆いおよび遮光スクリーンの素材は、紗等の織り目のあらい薄手で目にやさしいものが使用され、必要に応じ、自然材・合成樹脂・金属製の細材を骨材として保形性が保たれるようになっている。
【実施例２】
【００２７】
図４および図５は実施例２について示したもので、図４は全体を示す斜視図、図５は側面図である。
本実施例は、つば付き容器と架台とが一体となった型式のものである。
背もたれ兼用覆い２４はつば付き容器２１と一体としてもよく、また実施例１と同様ファスナー等で着脱可能としてもよい。
つば付き容器の揺れを防ぐため、つば付き容器の下部は、伸縮性のあるベルト２８・ベルト２９で架台フレームと結合されており、小動物の歩き回りに支障が生じないようになっている。
つば付き容器についての他の事項は、実施例１と同様である。
本実施例の背もたれ兼用覆いには、自動車のヘッドレストの支柱を利用して固定する方式、例えば図１９で示すような、覆い端部は小円筒状のものの中に入れてあり、覆い端部を絞り込むことによって緊縛される絞り込み式固定具１７５のものが採用されている。
【００２８】
実施例２の架台（図４）は、実施例１と同様、Ｘ状にクロスしたフレームを採用しており、左右に容易に折り畳むことができるようになっている。
また、座席との固定には、下部に設けた巻き込み式固定具１４０が下部シートを左右から挟持し、さらにバンド１９３が背面シートを巻き込んで固定する方式を採用している（図５）。
さらに前部席の背面シートとは突支棒１９７を採用して、前座席との間に間隙が生じないようにしている。
【実施例３】
【００２９】
図６は実施例３について示した斜視図である。
本実施例では、下部シートとの固定にバンド１９１を使用している。その他については、実施例２と同様である。
【実施例４】
【００３０】
図７ないし図９は実施例４について示したもので、図７は全体を示す斜視図である。
実施例１とは、巻き込み式の前部覆い１５を格納する方式に受棚４９を設けた点および架台の構成が異なる。
巻き込み式の前部覆いの両端には、輪状の弾性体、例えばゴム紐、を設けて、該両端を括っておくことができるようにすることが望ましい。
図８および図９は、架台４６を示す斜視図である。
架台を構成する前後方向のフレームに、パンタグラフ式フレーム４８を採用して、前後に容易に折り畳むことができるようになっている。このため、架台上面のつば４７は、図９に示すように、格納時には上方へ跳ね上がる方式を採用している。
【実施例５】
【００３１】
図１０ないし図１６は実施例５について示したもので、図１０は全体を示す斜視図である。
図１１は、架台５６の使用時の状態を示す斜視図である。
つば付き容器は、既述のものが適宜使用される。
本実施例の架台は棒の状態に畳むことができるが、畳みこんでいく状況を図１２ないし図１６に示す。
つば５７は、上方に持ち上げられ（図１２）、最上部または最上部近くに達すると、つば前部が下方に折り畳まれる（図１３、図１４）。次に、つば前部が左右に折り畳まれながら、支柱５８が左右方向に寄せられ（図１５）、さらに、つば５７の前部が上方に折り畳まれて、格納状態となる。
なお、本実施例の座席との固定方法には、背面シートに引っ掛ける方式の引っ掛け式固定具１７６とくさび式固定具１２０とが採用されている（図１２）。
架台の折り畳み機構には、支柱に嵌合するスリーブが滑動し固定される方式、つばの折り畳み機構には、蝶番方式、が通常用いられ且つ簡便である。
【実施例６】
【００３２】
図１７および図１８は実施例６について示したもので、図１７は全体を示す斜視図である。
本実施例においても、つば付き容器は既述のものが適宜使用される。
図１８は架台部分を示す斜視図であるが、本実施例は、無蓋箱６３が架台を兼用する方式である。
箱は、硬質の材料、例えば合成樹脂や合成木材、で製作される。
つば６２は、無蓋箱と着脱できるように金具６９で固定され、未使用時には金具を解除状態にして無蓋箱から取り外し折り畳んで無蓋箱に格納できるように、蝶番等で一体化されている。
くさび式固定具１２０でシートに固定されるが、巻き込み式固定具１４０を採用することも可能である。
また、本実施例では、傾き調整機構１８０を採用して架台兼用の無蓋箱の傾きを修正できるようになっている。
【実施例７】
【００３３】
図１９および図２０は、実施例７について示した斜視図である。
本実施例は、実施例６と同様、無蓋箱７３が架台を兼用し、つば７２は、無蓋箱と着脱できるように実施例６の金具６９と同様の金具（図示省略）で固定され、未使用時には無蓋箱から取り外し折り畳んで無蓋箱に格納できるように、蝶番等で一体化されている。
本実施例は、背もたれとしては着脱・折り畳み可能な背もたれ兼用覆い７４を設け、その固定には実施例２と同様の絞り込み式固定具１７５が採用されている。
さらに、無蓋箱は上下に伸縮可能として、格納時に嵩張らないようにしてある。
つばを折り畳んだ状況も含めて、格納時の状態を図２０に示す。
なお、つば付き容器としては、背もたれ兼用覆いが無蓋箱に既設であることから、既述のものから背もたれ兼用覆いを省略したものが適宜使用できる。
無蓋箱の固定には、既述の固定具が適宜使用される。
【実施例８】
【００３４】
図２１ないし図２３は実施例８について示したもので、図２１は全体を示す斜視図である。
本実施例の場合、架台に相当するものが、有蓋バスケットとなっているものである。
請求項５の記載において、つばの外周が形成する形状と蓋の形状がほぼ同じ形状かつほぼ同じ大きさ、とは、一般に蓋付き容器おいては蓋が容器を覆う場合と容器の内側に納まる場合があり、それらの場合を考慮したものである。
つば付き容器としては、バスケットの蓋８４が背もたれを兼用していることから、既述のものから背もたれ兼用覆いを省略したものが適宜使用できる。
本実施例の場合、有蓋バスケットとして、バスケット８３および蓋を別個に一体成形で製作できることから、脱臭剤入れ２０１・給餌用凹み２０３・小物入れ２０５を設けることは至って容易であり、また、バスケットの形状も図示のように多角形柱状型を採用できることから、小動物の居住性に優れたものが製作可能である。
固定には、下部シートとの固定にバンド１９１を使用し、背面シートとはヘッドレストの支柱を利用して固定する絞り込み式固定具１７５（図示省略）やバンド１９３（図示省略、図５に図示相当のもの）が用いられる。
図２２は、蓋に設けた遮光用覆い１７９をバスケットに繰出して使用した状態を示す斜視図である。
本実施例の場合、バスケットの蓋が背もたれを兼用していることから、容易に遮光用覆いを設けることができる
図２３は、格納時の状態を示す斜視図である。
【実施例９】
【００３５】
図２４および図２５は実施例９について示したもので、図２４は全体を示す斜視図である。
実施例８と異なる点は、蓋９４が開時にはバスケットの後側面を滑動して直立または斜立できるようになっている点である。
図２５は、バスケットを後側面から見た斜視図であり、蓋に設けた軸が、支柱９８に設けたガイドスリットに嵌合しながら、上下に滑動するようになっている。
なお、ガイドスリットと軸の機構をラックピニオン方式（図示省略）としても良い。
【００３６】
図２６および図２７は、くさび式固定具１２０の一例を示す斜視図である。
図２６は未使用時の状態、図２７は使用時の状態を示す。
未使用時は、くさび片１２１とくさび片１２３は平行状態になっており、使用する時は、両くさび片を座席の下部シートと背面シートの間隙に挿入した後、レバー１２５を倒すと、カム１２７が回転してくさび片１２３を下方に動かし、くさびを構成する。
なお、両くさび片にはそれぞれ凸起１２２および凸起１２４が設けられており、両凸起がシート表面に食い込むことになり、くさび効果がより一層発揮できるようになっている。
未使用時は、レバーを元の位置に戻せばくさび効果が無くなるようになっており、簡単に座席シートから外すことができる。
使用例を図９、図１８等に示す。
【００３７】
図２８ないし図３０は、ばね・巻き込み式固定具１４０の一例を示すもので、図２８は未使用時の状態を示す側面図、図２９は使用時の状態を示す側面図、図３０は使用時を示す斜視図である。
軸１４１のまわりに回転する彎曲部材１４２と凸歯１４５を一定間隔で設けた板状部材１４６からなる把持機構は、解除レバー１４７を板状部材方向に押すと凸歯の噛み合いが解除される（図示省略）ことから、容易に繰出すことが可能となる。
繰出された把持機構から彎曲部材を起して（図２９、図３０）下部シート端に当て、さらに、把持機構を繰出した方向と逆方向に押し込むことによって、凸歯が噛み合い直され強固な固定が得られる。
凸歯は凸起状の歯型を有するものでよいが、図示のような鋸歯形状のものが望ましい。
なお、彎曲部材はコイルばね１４３によって下部シート端を巻き込む構成になっているので充分な把持力が得られるようになっている。使用例を図３等に示す。
【００３８】
図３１は、つば付き容器のつばおよびつばの内周縁に緩衝部材１５１を設けた状態を示す斜視図である。
なお、緩衝部材は着脱可能にすることもでき、この場合には、緩衝部材の下面およびつばの上面に鉤止部材付ファスナー２０８を用いると至便である（図２）。
【００３９】
図３２は、ヘッドレスト全体を覆う型式の背もたれ兼用覆いを使用した場合の斜視図である。
また、図３３は、バスケット型容器に換気口１６１を設けた場合の斜視図である。
バスケット型容器とした場合は換気口を設けることによって、小動物を収容し蓋をした状態で運搬することが可能となる。
また、水のみタップ等の給水装置を適宜設けるもできる（図示省略）。
図３４および図３５は、収容容器を自動車前部に置く場合のダッシュボードとの関係を示す斜視図であり、図３４は折り畳み式前部覆い１７１、図３５はダッシュボードの形状に沿うようにしたフレキシブル式前部覆い１７３を示す。
【産業上の利用可能性】
【００４０】
本願発明は、愛玩用小動物愛好家にとって日常必要とする程の必需品となるものであり、産業上の利用可能性は極めて高いものである。
【００４１】
また、本願発明を製品化するに際しては、構成部品が多分野に及ぶことから、多くの産業分野においても役立つものである。
【００４２】
さらに、愛玩小動物を必要とする愛好家にとって、小動物の保護に完璧を期することができるものであるから、愛好家自身の精神面の健康を図る上でも多いに貢献できるものである。
【００４３】
そのうえ、自動車の運転者にとって、小動物の挙動を逐一気にする必要も無くなり、安心して運転に集中でき、交通事故防止に役立つものである。
【図面の簡単な説明】
【００４４】
【図１】実施例１の全体を示す斜視図である。
【図２】実施例１のつば付き容器を示す斜視図である。
【図３】実施例１の架台を示す斜視図である。
【図４】実施例２の全体を示す斜視図である。
【図５】実施例２の使用状態を示す側面図である。
【図６】実施例３の使用状態を示す斜視図である。
【図７】実施例４の全体を示す斜視図である。
【図８】実施例４の架台を示す斜視図である。
【図９】実施例４の架台の格納状態の途中を示す側面図である。
【図１０】実施例５の使用状態を示す斜視図である。
【図１１】実施例５の架台を示す斜視図である。
【図１２】実施例５の架台の格納状態の途中経過を示す斜視図である。
【図１３】実施例５の架台の格納状態の途中経過を示す斜視図である。
【図１４】実施例５の架台の格納状態の途中経過を示す斜視図である。
【図１５】実施例５の架台の格納状態の途中経過を示す斜視図である。
【図１６】実施例５の架台の格納状態の途中経過を示す斜視図である。
【図１７】実施例６の全体を示す斜視図である。
【図１８】実施例６の架台兼用無蓋箱を示す斜視図である。
【図１９】実施例７の全体を示す斜視図で、つば付き容器を省略した図である。
【図２０】実施例７の格納状態を示す斜視図である。
【図２１】実施例８の使用状態を示す斜視図で、つば付き容器を省略した図である。
【図２２】実施例８の遮光用覆いを使用した状態を示す斜視図である。
【図２３】実施例８の格納状態を示す斜視図である。
【図２４】実施例９の使用状態を示す斜視図で、つば付き容器を省略した図である。
【図２５】実施例９の格納状態を示す斜視図である。
【図２６】くさび式固定具の一例を示す斜視図で、未使用時を示す図である。
【図２７】くさび式固定具の一例を示す斜視図で、使用時を示す図である。
【図２８】ばね・巻き込み式固定具の一例を示す側面図で、未使用時を示す図である。
【図２９】ばね・巻き込み式固定具の一例を示す側面図で、使用時を示す図である。
【図３０】ばね・巻き込み式固定具の一例を示す斜視図で、使用時を示す図である。
【図３１】つば付き容器のつばおよびつばの内周縁に緩衝部材を設けた状態を示す斜視図である。
【図３２】ヘッドレスト全体を覆う型式の背もたれ兼用覆いを使用した場合の斜視図である。
【図３３】バスケット型容器に換気口を設けた場合の斜視図である。
【図３４】収容容器を自動車前部に置く場合のダッシュボードとの関係を示す斜視図で、折り畳み式を示す図である。
【図３５】図３４と同様の関係図であるが、フレキシブル式を使用した場合の斜視図である。
【符号の説明】
【００４５】
１１    つば付き容器（実施例１）       １２０    くさび式固定具
１２    つば                           １２１    くさび片
１３    無蓋箱                         １２２    凸起
１４    背もたれ兼用覆い               １２３    くさび片
１５    前部覆い                       １２４    凸起
１６    架台（実施例１）               １２５    レバー
１７    つば（実施例１、架台つき）     １２７    カム
１８    金具                         
１９    格納カバー                     １４０    巻き込み式固定具
１４１    軸
２１    つば付き容器（実施例２）       １４２    彎曲部材
２４    背もたれ兼用覆い（実施例２）   １４５    凸歯
２８    ベルト                         １４６    板状部材
２９    ベルト                         １４７    解除レバー
１４３    コイルばね
４６    架台（実施例４）             
４７    つば（実施例４）               １５１    緩衝部材
４８    パンタグラフ式フレーム       
４９    受棚（実施例４）               １６１    換気口
５６    架台（実施例５）               １７１    折り畳み式前部覆
５７    つば（実施例５）               １７３    フレキシブル式前部覆い
５８    支柱（実施例５）               １７５    絞り込み式固定具
１７６    引っ掛け式固定具
６２    つば（実施例６）               １７７    吸盤
６３    無蓋箱（実施例６）             １７８    遮光スクリーン
６９    金具（実施例６）               １７９    遮光用覆い
７２    つば（実施例７）               １８０    傾き調整機構
７３    無蓋箱（実施例７）           
７４    背もたれ兼用覆い（実施例７）   １９１    バンド
１９３    バンド
１９７    突支棒
８３    バスケット                   
８４    蓋（実施例８）                 ２０１    脱臭剤入れ
２０３    給餌用凹み
９４    蓋（実施例９）                 ２０５    小物入れ
９８    支柱（実施例９）               ２０７    ファスナー
２０８    鉤止部材付ファスナー
２１１    覆い固定具
【図１】
2005176750.tif 000003
【図２】
2005176750.tif 000004
【図３】
2005176750.tif 000005
【図４】
2005176750.tif 000006
【図５】
2005176750.tif 000007
【図６】
2005176750.tif 000008
【図７】
2005176750.tif 000009
【図８】
2005176750.tif 000010
【図９】
2005176750.tif 000011
【図１０】
2005176750.tif 000012
【図１１】
2005176750.tif 000013
【図１２】
2005176750.tif 000014
【図１３】
2005176750.tif 000015
【図１４】
2005176750.tif 000016
【図１５】
2005176750.tif 000017
【図１６】
2005176750.tif 000018
【図１７】
2005176750.tif 000019
【図１８】
2005176750.tif 000020
【図１９】
2005176750.tif 000021
【図２０】
2005176750.tif 000022
【図２１】
2005176750.tif 000023
【図２２】
2005176750.tif 000024
【図２３】
2005176750.tif 000025
【図２４】
2005176750.tif 000026
【図２５】
2005176750.tif 000027
【図２６】
2005176750.tif 000028
【図２７】
2005176750.tif 000029
【図２８】
2005176750.tif 000030
【図２９】
2005176750.tif 000031
【図３０】
2005176750.tif 000032
【図３１】
2005176750.tif 000033
【図３２】
2005176750.tif 000034
【図３３】
2005176750.tif 000035
【図３４】
2005176750.tif 000036
【図３５】
2005176750.tif 000037